(57)【要約】【解決手段】    本発明の表示物は、表示された第１の特徴（例えば角度）を備えている。第１の特徴は、第２の特徴（例えば色）に対応している。第２の特徴は、第１の特徴に代えて表示物として表示される。ただし、第２の特徴を、第１の特徴と共に表示していても良い。ここで、表示とは、例えば印刷である。【効果】  本発明によれば、表示物に表示された第１の特徴を情報として用いて、第２の特徴を有する表示物を提供することができる。例えば、本発明によれば、配布されたモノクロ印刷物を用いて、元々それに付されていた色情報を有する印刷物を取得することが可能となる。【選択図】図１
2005033795.tif 000002
【特許請求の範囲】
【請求項１】
表示された第１の特徴を備え、前記第１の特徴は、第２の特徴に対応しており、前記第２の特徴は、前記第１の特徴に代えて、または、前記第１の特徴と共に表示されるものであることを特徴とする表示物。
【請求項２】
前記表示とは印刷であることを特徴とする請求項１記載の表示物。
【請求項３】
前記第１の特徴とは、表示物における角度、大きさ、長さ、寸法比および濃淡のいずれかまたは組み合わせであることを特徴とする請求項１または２に記載の表示物。
【請求項４】
前記第２の特徴とは、表示物の色であることを特徴とする請求項１〜３のいずれか１項に記載の表示物。
【請求項５】
基本データ取得部と、特徴対応データベースと、表示データ生成部と、表示部とを備え、
前記基本データ取得部は、第２の特徴を含む基本データを取得する構成となっており、
前記特徴対応データベースは、前記第２の特徴と、表示されるべき第１の特徴とを対応付けて記録しているものであり、
前記表示データ生成部は、
（１）取得された前記基本データにおける前記第２の特徴を用いて、前記第１の特徴を、前記特徴対応データベースから取得する機能と、
（２）前記第１の特徴を含む表示データを生成する機能とを備えており、
前記表示部は、前記表示データに基づいて表示物を表示する構成となっている
ことを特徴とする表示物の表示システム。
【請求項６】
以下のステップを備えることを特徴とする表示物の表示方法：
（１）第２の特徴を含む基本データを取得するステップ；
（２）取得された前記基本データにおける前記第２の特徴を用いて、第１の特徴を、特徴対応データベースから取得するステップ；
（３）前記第１の特徴を含む表示データを生成するステップ；および
（４）前記表示データに基づいて表示物を表示するステップ。
【請求項７】
表示データ取得部と、特徴対応データベースと、特徴抽出部と、表示部とを備え、
前記表示データ取得部は、第１の特徴を含む表示物の表示データを取得する構成となっており、
前記特徴対応データベースは、前記第１の特徴と、表示されるべき第２の特徴とを対応付けて記録しているものであり、
前記特徴抽出部は、
（１）取得された前記表示データにおける前記第１の特徴を用いて、前記第２の特徴を、前記特徴対応データベースから取得する機能と、
（２）前記第２の特徴を含む表示データを生成する機能とを備えており、
前記表示部は、前記表示データに基づいて表示物を表示する構成となっている
ことを特徴とする表示物の読取システム。
【請求項８】
以下のステップを備えることを特徴とする表示物の読取方法：
（１）第１の特徴を含む表示物の表示データを取得するステップ；
（２）取得された前記表示データにおける前記第１の特徴を用いて、第２の特徴を、特徴対応データベースから取得するステップ；
（３）前記第２の特徴を含む表示データを生成するステップ；および
（４）前記表示データに基づいて表示物を表示するステップ。
【発明の詳細な説明】
【技術分野】
【０００１】
本発明は、主として、印刷物などの表示物、それを表示するシステム、および、それを表示する方法に関するものである。
【背景技術】
【０００２】
我々は、日常、様々なテキスト資料の配布を受けている。元の資料はカラーであっても、我々が手にするものは、コスト削減等の理由により、２階調の白黒か、グレースケールであることが普通である。これらの資料では情報量が少なく、必ずしも十分とは言えないことが多い。配布物は白黒やグレースケールであっても、それ自体に色情報を含ませることによって、必要に応じて後にカラーを再現することができるようなシステムが望まれる。
【０００３】
下記特許文献１には、ＲＧＢ情報に対応したディザ変換を行うことで、モノクロ画像の表現能力を向上させる技術が記載されている。しかしながら、この技術は、変換後の情報を用いて、変換前の情報（例えば色情報）を復元するものではない。
【０００４】
また、下記特許文献２および３には、ベースパターン上に付加情報を不可視な状態で埋め込み、モアレを使って可視化する技術が記載されている。しかしながら、これらの技術も、表示物自体の情報を復元するものではない。例えば、これらの文献の技術では、モノクロ化された印刷物の色情報を復元することはできない。
【特許文献１】特開２００１−１８６３５９号公報
【特許文献２】特開２００１−１４４９４４号公報
【特許文献３】特開２００２−２３２６８８号公報
【発明の開示】
【発明が解決しようとする課題】
【０００５】
本発明は、このような状況に鑑みてなされたもので、前記の問題を解決しうる表示物、その表示システム、その表示方法、その読取システム、およびその読取方法を提供しようとするものである。
【課題を解決するための手段】
【０００６】
本発明に係る表示物は、表示された第１の特徴を備えている。前記第１の特徴は、第２の特徴に対応している。前記第２の特徴は、前記第１の特徴に代えて、または、前記第１の特徴と共に表示されるものである。
【０００７】
前記表示とは、例えば印刷である。
【０００８】
前記第１の特徴とは、例えば、表示物における角度、大きさ、長さ、寸法比および濃淡のいずれかまたは組み合わせである。
【０００９】
前記第２の特徴とは、例えば、表示物の色である。
【００１０】
本発明に係る表示物の表示システムは、基本データ取得部と、特徴対応データベースと、表示データ生成部と、表示部とを備えている。前記基本データ取得部は、第２の特徴を含む基本データを取得する構成となっている。前記特徴対応データベースは、前記第２の特徴と、表示されるべき第１の特徴とを対応付けて記録しているものである。前記表示データ生成部は、（１）取得された前記基本データにおける前記第２の特徴を用いて、前記第１の特徴を、前記特徴対応データベースから取得する機能と、（２）前記第１の特徴を含む表示データを生成する機能とを備えている。前記表示部は、前記表示データに基づいて表示物を表示する構成となっている。
【００１１】
本発明に係る表示物の表示方法は、以下のステップを備えている：
（１）第２の特徴を含む基本データを取得するステップ；
（２）取得された前記基本データにおける前記第２の特徴を用いて、第１の特徴を、特徴対応データベースから取得するステップ；
（３）前記第１の特徴を含む表示データを生成するステップ；および
（４）前記表示データに基づいて表示物を表示するステップ。
【００１２】
本発明に係る表示物の読取システムは、表示データ取得部と、特徴対応データベースと、特徴抽出部と、表示部とを備えている。前記表示データ取得部は、第１の特徴を含む表示物の表示データを取得する構成となっている。前記特徴対応データベースは、前記第１の特徴と、表示されるべき第２の特徴とを対応付けて記録しているものである。前記特徴抽出部は、（１）取得された前記表示データにおける前記第１の特徴を用いて、前記第２の特徴を、前記特徴対応データベースから取得する機能と、（２）前記第２の特徴を含む表示データを生成する機能とを備えている。前記表示部は、前記表示データに基づいて表示物を表示する構成となっている。
【００１３】
本発明に係る表示物の読取方法は、以下のステップを備えている：
（１）第１の特徴を含む表示物の表示データを取得するステップ；
（２）取得された前記表示データにおける前記第１の特徴を用いて、第２の特徴を、特徴対応データベースから取得するステップ；
（３）前記第２の特徴を含む表示データを生成するステップ；および
（４）前記表示データに基づいて表示物を表示するステップ。
【発明の効果】
【００１４】
本発明によれば、表示物に表示された第１の特徴を用いて、第２の特徴を取得し、第２の特徴を有する表示物を表示することができる。したがって、例えば、配布されたモノクロ印刷物を用いて、元々それに付されていた色を有する印刷物を取得することが可能となる。
【発明を実施するための最良の形態】
【００１５】
（第１実施形態における表示物の構成）
以下、本発明の第１実施形態に係る表示物の実施例を、図１〜図７を参照しながら説明する。この実施形態における表示物では、第１の特徴として角度を用い、第２の特徴として色を用いている。
【００１６】
（実施例１）
実施例１の表示物は、複数の円形ドット１により構成された印刷物である（図１参照）。ドット１の配列には、図中の矢印で示すように、第１の特徴としての角度を示す情報が含まれている。したがって、この印刷物は、角度情報を備えている。この角度は、第２の特徴としての色に対応している（後述）。この第２の特徴は、第１の特徴に代えて、または第１の特徴と共に、表示物において表示される。
【００１７】
（実施例２）
実施例２の表示物は、複数の長円形ドット２により構成された印刷物である（図２参照）。長円形ドット２は、図中の矢印で示すように傾斜されていて、第１の特徴としての角度の情報を含んでいる。したがって、この印刷物は、角度情報を備えている。この角度は、第２の特徴としての色に対応している（後述）。他の構成は実施例１と同様である。
【００１８】
（実施例３）
実施例３の表示物は、複数の線３により構成された印刷物である（図３参照）。線３は、図中の矢印で示すように傾斜されていて、第１の特徴としての角度の情報を含んでいる。つまり、この印刷物は、角度情報を備えている。この角度は、第２の特徴としての色に対応している（後述）。他の構成は実施例１と同様である。
【００１９】
（実施例４）
実施例４の表示物は、複数の淡色部４１と暗色部４２とにより構成された印刷物である（図４参照）。淡色部４１と暗色部４２との配列は、図中の矢印で示すように傾斜されていて、第１の特徴としての角度の情報を含んでいる。したがって、この印刷物は、角度情報を備えている。この角度は、第２の特徴としての色に対応している（後述）。他の構成は実施例１と同様である。
【００２０】
（実施例５）
実施例５の表示物は、一つの文字の中に、一方向へ延長された線３を含む印刷物である（図５（ａ）参照）。線３は、図中の矢印で示すように傾斜されていて、第１の特徴としての角度の情報を含んでいる。つまり、この印刷物は、角度情報を備えている。この角度は、第２の特徴としての色に対応している（後述）。線３は単数でも複数でも良い。他の構成は実施例１と同様である。なお、図５（ｂ）に示すように、表示物の中に２本の線３１および３２を含んでいても良い。この場合は、２本の線の角度に応じて、二つの情報を含んでいる。もちろん、線の数は３以上であってもよい。また、図５（ｃ）に示すように、２本の線３１および３２の成す角θを角度の情報としてもよい。この場合は、基準角度が不要となる。
【００２１】
（色と角度との対応）
例えば、文字が、複数の線３により構成されている場合、前記実施例３に記載した通り、線３に角度情報を持たせることができる。この傾斜角度をθとする（図６（ａ）参照）。一方、角度によって異なる色が表示された色見本５（図６（ｂ）参照）を用いると、角度と色とを関連づけることができる。このようにして、第１の特徴としての角度と、第２の特徴としての色とを関連づけることができる。なお、色見本５は、色データと角度データとを対応させたテーブルのような電子データであってもよい。
【００２２】
同様に、文字中に１本の線を含む場合も、角度と色とを関連づけることができる（図７（ａ）および（ｂ）参照）。
【００２３】
（第１実施形態における表示物の表示システム）
つぎに、第１実施形態における表示物の表示システムを図８および図９に基づいて説明する。この表示システムは、基本データ取得部１０と、特徴対応データベース１１と、表示データ生成部１２と、表示部１３とを備えている。
【００２４】
基本データ取得部１０は、角度（第１の特徴に対応）の情報を含む表示物の画像データ（基本データに対応）を取得する構成となっている。このような基本データ取得部１０は、例えば、色つきの文字情報（フォントまたはビットマップなどのデータ）を取得するコンピュータを用いて構成される。あるいは、基本データ取得部１０は、色つき文字情報を取得するためのスキャナを用いて構成される。
【００２５】
特徴対応データベース１１は、角度情報と、色（表示されるべき第２の特徴に対応）の情報とを対応付けて記録しているものである（図９参照）。図９では、色情報をＲＧＢの値で表しているが、他の色座標系で表しても良い。また、色を表す次元の数は３以外（例えば２や１）であってもよい。
【００２６】
表示データ生成部１２は、適宜なコンピュータハードウエアやコンピュータソフトウエアにより構成されており、次の機能を有する。
（１）取得された画像データにおける色情報を用いて、これに対応する角度情報を、特徴対応データベース１１から取得する機能；および
（２）角度情報を含む表示データを生成する機能。
【００２７】
さらに、本実施形態の表示データ生成部１２は、角度情報に変換された色情報を有しない表示データを生成するようになっている。例えば、色情報を表す角度情報を含む表示データにおいては、当該色情報を含まない、つまりモノクロの表示データを生成するようになっている。
【００２８】
角度情報を含む表示データとは、例えば前記実施例１〜５で示したような表示物を表示するためのベクタデータやビットマップデータである。
【００２９】
表示部１３は、表示データに基づいて表示物を表示するものである。表示部１３は、例えば、表示物としての印刷物を印刷するためのプリンタであるが、これに限らず、例えば、各種のディスプレイ（たとえばＣＲＴ）などの表示手段であってもよい。
【００３０】
（第１実施形態における表示物の表示方法）
つぎに、前記したシステムを用いたる表示物の表示方法を、図１０に基づいて説明する。
【００３１】
（ステップ１０−１）
まず、第２の特徴（色）を含む基本データ（例えば色情報を含むベクタデータやビットマップデータ）を、基本データ取得部１０により取得する。
【００３２】
（ステップ１０−２）
ついで、取得された基本データにおける第２の特徴を用いて、第１の特徴（例えば角度）を、特徴対応データベース１１から取得する。ここでは、角度θが取得されたとする。
【００３３】
さらに、第１の特徴を含む表示データを生成する。表示データとは、例えば、色情報を有しない、モノクロの表示データである。一例として、図１１（ａ）に示すアウトラインフォントを仮定する。このフォントをラスタライズする際に、Ｘ−Ｙ座標系において角度θとなる線３を形成し、図１１（ｂ）のようなビットマップデータを得ることができる。
【００３４】
このステップ１０−２は、この実施形態では、表示データ生成部１２により実行される。
【００３５】
なお、図１１（ａ）の例では、Ｘ軸とＹ軸との交点（文字中心）を基準として、角度θを設定している。しかしながら、中心でない任意の位置を基準として角度θを設定することも可能である。
【００３６】
（ステップ１０−３）
ついで、表示部１３は、生成された表示データを受け取り、この表示データに基づいて表示物を表示する。表示物は、例えば線３の角度のような第１の特徴を有している。この実施形態では、第２の特徴に代えて第１の特徴を表示しているが、第１の特徴を第２の特徴と共に表示することも可能である。
【００３７】
したがって、本実施形態では、例えば、色を有する印刷物を、モノクロの印刷物に変換して配布することができる。このモノクロ印刷物は、色情報を復元するための第１の特徴を備えている。よって、モノクロ印刷物の受領者は、色情報を有する印刷物を得ることができる。
【００３８】
（第２実施形態における表示物の構成）
つぎに、本発明の第２実施形態に係る表示物の実施例を、図１２〜図１６を参照しながら説明する。この実施形態における表示物では、第１の特徴として角度以外の情報（例えば大きさ情報）を用い、第２の特徴として色を用いている。
【００３９】
（実施例６）
実施例６の表示物は、複数の円形ドット１により構成された印刷物である。各ドット１の大きさ（第１の特徴に対応）は、第２の特徴としての色に対応している（図１２参照）。他の構成は実施例１と同様である。
【００４０】
（実施例７）
実施例７の表示物は、複数の長円形ドット２により構成された印刷物である。各長円形ドット２の大きさ（第１の特徴に対応）は、第２の特徴としての色に対応している（図１３参照）。他の構成は実施例１と同様である。
【００４１】
（実施例８）
実施例８の表示物は、複数の線３により構成された印刷物である。線３の長さは、第２の特徴としての色に対応している（図１４参照）。他の構成は実施例１と同様である。
【００４２】
（実施例９）
実施例９の表示物は、複数の基本構成要素２により構成された印刷物である。この構成要素の寸法比（ａ：ｂ）は、第２の特徴としての色に対応している（図１５参照）。
【００４３】
（実施例１０）
実施例１０の表示物は、グレースケールで濃淡が付された印刷物である。この濃淡は、第２の特徴としての色情報に対応している（図１６参照）。
【００４４】
第２実施形態における表示物の表示システムおよび表示方法は、第１の特徴が異なる以外は、前記第１実施形態と同様なので、詳細な説明を省略する。
【００４５】
（表示物の読取システム）
つぎに、第３実施形態として、表示物の読取システムを図１７に基づいて説明する。この読取システムは、表示データ取得部２０と、特徴対応データベース２１と、特徴抽出部２２と、表示部２３とを備えている。
【００４６】
表示データ取得部２０は、第１の特徴（例えば角度）を含む表示物の表示データ（例えば、角度情報を含んだビットマップデータ）を取得する構成となっている。表示データ取得部２０は、例えばスキャナにより構成することができる。
【００４７】
特徴対応データベース２１は、第１の特徴と、表示されるべき第２の特徴（例えば色）とを対応付けて記録しているものである。特徴対応データベース２１は、前記した表示システムで用いた特徴対応データベース１１と同様の構成でよく、さらには、共用であってもよい。
【００４８】
特徴抽出部２２は、次の機能を実行するものである。
（１）取得された表示データにおける第１の特徴（例えば角度）を用いて、第２の特徴（例えば色）を、特徴対応データベース１１から取得する機能；および、
（２）第２の特徴を含む表示データを生成する機能。
【００４９】
表示部１３は、特徴抽出部２２で生成された表示データを受け取り、これに基づいて表示物（例えば色情報を含んだビットマップデータ）を表示する構成となっている。
【００５０】
（表示物の読取方法）
つぎに、前記した読取システムを用いて表示物を読み取る方法を、図１８に基づいて説明する。
【００５１】
（ステップ１８−１）
まず、第１の特徴（例えば角度）を含む表示物の表示データ（例えばビットマップデータ）を、表示データ取得部２０により取得する。取得されたデータは適宜な記憶素子に格納される。
【００５２】
（ステップ１８−２）
ついで、取得された表示データにおける第１の特徴を用いて、第２の特徴（例えば色）を、特徴対応データベース２１から取得する。例えば、取得された表示データを、隅から走査する。ある一画素（注目画素）をf(i,j)とすると（図１９（ｂ）参照）、その周辺８近傍のデータを取得する（図１９（ａ）参照）。これを、予め用意した特徴パターンと照合する。これにより、例えば角度などの第１の特徴を取得することができる。取得された角度情報を検索キーとして用いて、第２の情報（例えば色）を取得することができる。
【００５３】
ついで、第２の特徴を含む表示データ（例えば色情報を含むビットマップデータ）を生成する。
【００５４】
このステップ１８−２は、この実施形態では特徴抽出部２２により実行される。
【００５５】
（ステップ１８−３）
ついで、生成された表示データに基づいて、表示物（例えば色つきの文字）を表示する。したがって、本実施形態によれば、モノクロの印刷物から、色を有する印刷物を得ることができる。
【００５６】
なお、本発明は、上記した各実施形態に限定されるものではなく、本発明の要旨を逸脱しない範囲内において種々の変更を加えることができる。
【００５７】
例えば、前記した各構成要素は、機能ブロックとして存在していればよく、独立したハードウエアとして存在しなくても良い。また、実装方法としては、ハードウエアを用いてもコンピュータソフトウエアを用いても良い。さらに、本発明における一つの機能要素が複数の機能要素の集合によって実現されても良く、本発明における複数の機能要素が一つの機能要素により実現されても良い。
【００５８】
また、機能要素は、物理的に離間した位置に配置されていてもよい。この場合、機能要素どうしがネットワークにより接続されていても良い。
【００５９】
さらに、前記実施形態では、第２の情報として色情報を用いたが、これに限らず、色以外の情報（例えば印刷内容の補足説明や、印刷内容と全く関係のない他の情報）を用いても良い。
【００６０】
また、前記の説明においては、第１の特徴および第２の特徴は、特徴それ自体（例えば色や角度）であってもよいし、特徴それ自体を表示するための情報（例えば、色や角度に対応付けられた符号、ポインタなど）であってもよい。
【００６１】
さらに、印刷物中に商標や記号などの適当なマークを入れておき、そのマークを読み込んだときに前記の読取方法を実行するようにしてもよい。さらに、このマークには、印刷物内での角度、濃淡、サイズ等の属性の基準となる情報を含ませておいても良い。また、このマークは、印刷物中のどこに存在していても良い。すなわち、マークは遍在することができる。
【図面の簡単な説明】
【００６２】
【図１】本発明の実施例１における表示物の説明図である。
【図２】本発明の実施例２における表示物の説明図である。
【図３】本発明の実施例３における表示物の説明図である。
【図４】本発明の実施例４における表示物の説明図である。
【図５】本発明の実施例５における表示物の説明図である。
【図６】色と角度との対応関係を説明するための説明図であり、図（ａ）は印刷物の例、図（ｂ）は色見本の例である。
【図７】色と角度との対応関係を説明するための説明図であり、図（ａ）は印刷物の例、図（ｂ）は色見本の例である。
【図８】本発明の第１実施形態における表示システムの概略的な構成を示すブロック図である。
【図９】特徴対応データベースの概念的な構成を示す図である。
【図１０】本発明の第１実施形態における表示方法を説明するための概略的なフローチャートである。
【図１１】角度情報を印刷物に書き込む手段を説明するための説明図であって、図（ａ）は印刷物自体、図（ｂ）は印刷物に情報を書き込んだ状態の図である。
【図１２】本発明の実施例６における表示物の説明図であり、図（ａ）は、ドットの大きさの一例、図（ｂ）は、対応する色情報を示している。
【図１３】本発明の実施例７における表示物の説明図であり、図（ａ）は、ドットの大きさの一例、図（ｂ）は、対応する色情報を示している。
【図１４】本発明の実施例８における表示物の説明図であり、図（ａ）は、線の長さの一例、図（ｂ）は、対応する色情報を示している。
【図１５】本発明の実施例９における表示物の説明図であり、図（ａ）および（ｂ）は、寸法比の一例、図（ｃ）は、対応する色情報を示している。
【図１６】本発明の実施例１０における表示物の説明図であり、図（ａ）は、グレースケールの一例、図（ｂ）は、対応する色情報を示している。
【図１７】本発明の第３実施形態における読取システムの概略的な構成を示すブロック図である。
【図１８】本発明の第３実施形態における読取方法を説明するための概略的なフローチャートである。
【図１９】読取方法の具体例を説明するための説明図であって、図（ａ）は、注目画素の周辺８近傍を説明するための図、図（ｂ）は、注目画素を移動させて走査を行うことを説明するための図である。
【符号の説明】
【００６３】
１  円形ドット
２  長円形ドット
３  線
４１  淡色部
４２  暗色部
５  色見本
１０  基本データ取得部
１１  特徴対応データベース
１２  表示データ生成部
１３  表示部
２０  表示データ取得部
２１  特徴対応データベース
２２  特徴抽出部
２３  表示部
【図１】
2005033795.tif 000003
【図２】
2005033795.tif 000004
【図３】
2005033795.tif 000005
【図５】
2005033795.tif 000006
【図８】
2005033795.tif 000007
【図９】
2005033795.tif 000008
【図１０】
2005033795.tif 000009
【図１１】
2005033795.tif 000010
【図１７】
2005033795.tif 000011
【図１８】
2005033795.tif 000012
【図１９】
2005033795.tif 000013
【図４】
2005033795.tif 000014
【図６】
2005033795.tif 000015
【図７】
2005033795.tif 000016
【図１２】
2005033795.tif 000017
【図１３】
2005033795.tif 000018
【図１４】
2005033795.tif 000019
【図１５】
2005033795.tif 000020
【図１６】
2005033795.tif 000021